(57)【要約】      （修正有）【課題】複数の検査項目を各個人に定めた順で検査を行うための管理を行う健康診断管理装置、方法あるいはプログラムに関し、受診者が人間ドックなどの健康診断の際に、受診票や伝票を持ち歩くことなく手ぶらで、容易かつ確実に検査を受けることができる。【解決手段】少なくとも受診者に対応付けて検査順序と受診者を特定する生体情報が関連付けて登録される情報登録手段と、受診者から生体情報を取得する生体情報取得手段と、該生体情報取得手段により取得した生体情報と該情報登録手段に登録されている生体情報とを比較する生体情報比較手段と、該生体情報比較手段により生体情報が一致する場合は、該情報登録手段に登録されている検査順序情報により次の検査項目を受診者に通知する検査項目出力手段と、各受診者の進捗状況を管理する管理手段とを設ける。【選択図】図１
2006235929.tif 000002
【特許請求の範囲】
【請求項１】
複数の検査項目を各個人に定めた順で検査を行うための管理を行う健康診断管理装置であって、
少なくとも受診者に対応付けて検査順序と受診者を特定する生体情報が関連付けて登録される情報登録手段と、
受診者から生体情報を取得する生体情報取得手段と、
該生体情報取得手段により取得した生体情報と、該情報登録手段に登録されている生体情報とを比較する生体情報比較手段と、
該生体情報比較手段により生体情報が一致する場合は、該情報登録手段に登録されている検査順序情報により、次の検査項目を受診者に通知する検査項目出力手段と、
各受診者の進捗状況を管理する管理手段と
を設けた
ことを特徴とする健康診断管理装置。
【請求項２】
該生体情報比較手段により検査の該当が認識されると、検査の結果情報が入力される結果情報入力手段と、
該結果情報入力手段により入力された検査の結果情報を登録する結果情報登録手段と
を有する
ことを特徴とする請求項１に記載の健康診断管理装置。
【請求項３】
該情報登録手段に登録された予約情報と該結果情報登録手段に格納された結果情報より、検査の待ち人数を登録する検査混雑状況登録手段と、
該検査混雑状況登録手段に登録された検査の待ち人数より、該情報登録手段の検査順序を変更する検査順序情報変更手段とを有する
ことを特徴とする請求項２に記載の健康診断管理装置。
【請求項４】
複数の検査項目を各個人に定めた順で検査を行うための管理を行う健康診断管理方法であって、
少なくとも受診者に対応付けて検査順序と受診者を特定する生体情報が関連付けて登録される情報登録手段と、
受診者から生体情報を取得する生体情報取得手段と、
該生体情報取得手段により取得した生体情報と、該情報登録手段に登録されている生体情報とを比較する生体情報比較手段と、
該生体情報比較手段により生体情報が一致する場合は、該情報登録手段に登録されている検査順序情報により、次の検査項目を受診者に通知する検査項目出力手段と、
各受診者の進捗状況を管理する管理手段と
を設けた
ことを特徴とする健康診断管理方法。
【請求項５】
複数の検査項目を各個人に定めた順で検査を行うための管理を行う健康診断管理プログラムであって、
少なくとも受診者に対応付けて検査順序と受診者を特定する生体情報が関連付けて登録される情報登録手段と、
受診者から生体情報を取得する生体情報取得手段と、
該生体情報取得手段により取得した生体情報と、該情報登録手段に登録されている生体情報とを比較する生体情報比較手段と、
該生体情報比較手段により生体情報が一致する場合は、該情報登録手段に登録されている検査順序情報により、次の検査項目を受診者に通知する検査項目出力手段と、
各受診者の進捗状況を管理する管理手段と
を機能させるための健康診断管理プログラム。
【発明の詳細な説明】
【技術分野】
【０００１】
本発明は、人間ドックなどの健康診断における健康診断管理装置に関し、特に、複数の検査を順番に受けるための健康診断において、受診票や伝票を持ち歩くことなく、生体情報により受診者を特定する情報や、検査順序などの健康診断の予約情報を手ぶらで確認し、検査を簡単かつ潤滑に行うことができる健康診断管理装置に関する。
【背景技術】
【０００２】
人間ドックなどの健康診断を受ける場合には、受診者は、まとめられた形で検査項目が記載された受診票を検査が終わるまで持ち歩く必要がある。また、病院内の検査では、検査の分担ごとに用紙が分かれ、病院内で検査の正当性を確認するとともに各検査分担へ検査を依頼する旨が記載された伝票を検査時に検査分担窓口に渡していく必要があり、更には、伝票の内容を自ら確認しながら検査を受ける必要がある。
【０００３】
すなわち、人間ドックなどの健康診断では、各個人により受ける検査項目が異なっているため、同じ検査日であっても周囲の人や列を参考にできず、各々の受診者は自ら受診する受診票や伝票に記載されている検査項目の中から自分の受ける検査を探し出して各検査窓口に行き、順番に検査を受けていかなければならない。
【０００４】
しかも、受診者は検査の際に受診票や伝票を持ち歩かなければならないが、検査を受診する場合、あるいは、脱衣の際等に種々の時点で、受診票や伝票を手離して受けなければならないため、受診票や伝票を置き忘れたり、他人のものと取り違えて、他人の検査結果と混在してしまうという問題があった。
【０００５】
このため、顔、指紋、虹彩、声紋、静脈など、個人を区別できる生体情報による個人認証により個人識別を確実に行うことは、医療管理装置への利用に対し有効である。
【０００６】
たとえば、患者の顔、指紋、虹彩、声紋、静脈などの生物個体差を示す個人認証データと、患者の氏名、患者ＩＤ、生年月日などの患者情報とを関連付けてデータベースに登録しておき、患者確認時に患者から取得した個人認証データと、データベースに登録されている個人認証データとを照合し、照合結果を出力することにより、患者が所定の検査や手術の対象患者かどうかの確認を行い、検査結果を登録し、検査が実施されたか否かを確認するようにしている。この技術は、病院側が対象の患者か否かを確認するものであり、患者自身が受ける検査等のために受診票や伝票を持ち歩かなければならない不便さに対する解決策にはならない。
【０００７】
また、患者が検査や手術を受ける際に、受診票や伝票を持ち歩いて、確認しつつ受診していかなければならない不便さに対する完全な解決策にはならない。
【特許文献１】特開２００３−３０３２４号公報    更に、医療機関の受付けにて、診察に訪れた患者から取得した顔画像等の生体情報より特徴量を抽出した生体情報の特徴量と患者情報とを対応して記憶し診察を受付け、診察室に訪れた患者から取得した生体情報の特徴量と、記憶されている生体情報の特徴量を照合して患者を認識し、記憶されている当該患者に対応する患者情報を表示し、治療結果を登録し、医療費を算出するものもある。この技術においても、検査を受ける際に、受診票や伝票を持ち歩かなければならない不便さに対する完全な解決策にはならない。
【０００８】
この場合も、患者が検査や手術を受ける際に、受診票や伝票を持ち歩いて、確認しつつ受診していかなければならない不便さに対する完全な解決策にはならない。
【特許文献２】特開２００３−２７１７３３号公報
【発明の開示】
【発明が解決しようとする課題】
【０００９】
本発明はこのような事情に鑑みてなされたもので、受診者が人間ドックなどの健康診断の際に、受診票や伝票を持ち歩くことなく手ぶらで、容易かつ確実に検査を受けることができる健康診断管理装置を提供することを目的とする。
【００１０】
また、本発明は混雑状況に対しても待ち人数の分散化を行うことができる健康診断管理装置を提供することを目的とする。
【課題を解決するための手段】
【００１１】
本発明の健康診断管理装置においては、情報登録手段により少なくとも受診者に対応付けて検査順序と受診者を特定する生体情報を関連付けて登録しておき、生体情報取得手段により受診者から生体情報を取得し、生体情報比較手段により該生体情報取得手段で取得した生体情報と、該情報登録手段に登録されている生体情報とを比較した結果、該生体情報比較手段により生体情報が一致する場合は、検査項目出力手段により該情報登録手段に登録されている検査順序情報から次の検査項目を受診者に通知し、管理手段により各受診者の進捗状況を管理する。
【００１２】
次に、本発明の健康診断管理装置においては、結果情報入力手段により該生体情報比較手段により検査の該当が認識されると、検査の結果情報が入力され、結果情報登録手段により該結果情報入力手段により入力された検査の結果情報を登録する。
【００１３】
次に、本発明の健康診断管理装置においては、検査混雑状況登録手段により該情報登録手段に登録された予約情報と該結果情報登録手段に格納された結果情報を参照し検査の待ち人数を登録し、検査順序情報変更手段により該検査混雑状況登録手段に登録された検査の待ち人数を参照し、該情報登録手段の検査順序を変更する。
【発明の効果】
【００１４】
本発明では、受診者が人間ドックなどの健康診断の際に、生体情報に基づいて検査項目や検査順序を確認することができるため、受診票や伝票を持ち歩くことなく、手ぶらで所定の検査および検査順序の確認を容易かつ確実に行うことができる。
【００１５】
また、本発明では、手ぶらで所定の検査および検査順序の確認をできるため、受診票や伝票を持ち歩くわずらわしさや、受診票や伝票の取り違えによるデータの混乱がなくなる。
【００１６】
更に、本発明では、混雑状況に対しても順序を適切に変更するため、混雑の分散化を図ることができる。
【発明を実施するための最良の形態】
【００１７】
以下、本発明の実施例を図面に基づいて説明する。
【００１８】
図１は本発明を示すシステム構成図である。
【００１９】
本発明のシステムは、受付装置１、検査情報入力装置２、管理サーバ３により構成される。
【００２０】
受付装置１は、予約情報確認手段１１、第１の生体情報取得手段１２、検査順序情報出力手段１３からなる。
【００２１】
予約情報確認手段１１は、受診者の診察券記録情報や入力されたＩＤに基づいて管理サーバ３より予約情報を取得し、取得結果を受診者へ通知する。
【００２２】
第１の生体情報取得手段１２は、各受診者から生体情報を取得するとともに管理サーバ３へ生体情報に関する情報を送出する。
【００２３】
検査順序情報出力手段１３は、第１の生体情報取得手段１２から送出した情報に基づいて管理サーバ３より送出されてきた検査順序情報により受信者へ検査の順序と次の検査項目を通知する。
【００２４】
次に、検査情報入力装置２は、第２の生体情報取得手段２１、検査項目出力手段２２、結果情報入力手段２３からなる。
【００２５】
第２の生体情報取得手段２１は、各受診者から生体情報を取得するとともに、管理サーバ３へ生体情報に関する情報を送出する。
【００２６】
検査項目出力手段２２は、第２の生体情報取得手段２１で取得した生体情報に基づいて管理サーバ３より送出されてきた検査順序情報により受信者へ検査の順序と次の検査項目を通知する。
【００２７】
結果情報入力手段２３は、受診者の検査結果を管理サーバ３に送出する。
【００２８】
更に、管理サーバ３は、検査順序情報登録手段３１、生体情報登録手段３２、生体情報比較手段３３、結果情報登録手段３４、検査混雑状況情報登録手段３５、検査順序情報変更手段３６、管理手段３７からなる。
【００２９】
検査順序情報登録手段３１は、各受診者の検査項目や順序などの順序情報を登録し、受付装置１や検査情報入力装置２に検査順序情報を送出する。
【００３０】
生体情報登録手段３２は、受診者の生体情報を登録する。
【００３１】
生体情報比較手段３３は、受付装置１あるいは検査情報入力装置２より送出された生体情報と生体情報登録手段３２に登録された生体情報を比較する。
【００３２】
結果情報登録手段３４は、検査情報入力装置２より送出された結果情報を登録し、結果情報を検査順序情報登録手段３１に送出する。
【００３３】
検査混雑状況情報登録手段３５は、すべての受診者の検査の進捗情報を取得し各検査の待ち人数を登録する。
【００３４】
検査順序情報変更手段３６は、検査混雑状況情報を取得し混雑している検査の順序を変更する。
【００３５】
管理手段３７は、各受診者の検査の進捗状況を管理する。
【００３６】
尚、特許請求の範囲の請求項における構成要件との対応を次に説明する。
【００３７】
特許請求の範囲の請求項１における情報登録手段は図１の生体情報登録手段３２及び検査順序情報登録手段３１に対応し、特許請求の範囲の請求項１における生体情報取得手段は図１における第１の生体情報取得手段１２及び第２の生体情報取得手段２１に対応し、特許請求の範囲の請求項１における生体情報比較手段は、図１における生体情報比較手段３３に対応し、特許請求の範囲の請求項１における検査項目出力手段は、図１における検査順序情報出力手段１３及び検査項目出力手段２２に対応し、特許請求の範囲の請求項１における管理手段は、図１における管理手段３７に対応する。
【００３８】
更に、特許請求の範囲の請求項２における結果情報入力手段は、図１における結果情報入力手段２３に対応し、特許請求の範囲の請求項２における結果情報登録手段は、図１における結果情報登録手段３４に対応する。
【００３９】
また、特許請求の範囲の請求項３における検査混雑状況登録手段は、図１における結検査混雑状況登録手段３５に対応し、特許請求の範囲の請求項３における検査順序情報変更手段は、図１における検査順序情報変更手段３６に対応する。
［実施例１］
図２、図３は、本発明による健康診断管理装置の実施例１を示す構成図で、図５、図８はその処理フローである。
【００４０】
したがって、この実施例は、ソフトウエアにより実現するものである。
【００４１】
まず、実施例１の構成について説明する。
【００４２】
図２は一般的なＰＣ（パーソナル・コンピュータ）により構成されるシステム、図３は専用機を利用したシステムである。実施例１の装置は、受付装置１、検査情報入力装置２、管理サーバ３により構成される。受付装置１、検査情報入力装置２、管理サーバ３は、ネットワーク（ＬＡＮ）４により接続されている。この健康診断管理装置は、各装置を複数台ずつ備えてもよく、特に、受付装置１を複数台備えれば、受付時に一度に多数の受診者の受付を行うことができる。更に、検査情報入力装置２は各検査場所のそれぞれに設置することにより、検査を担当した医師等により検査結果診断できる他、時間のかかる検査を後で入力することも容易となる。更に管理サーバ３を複数設けることにより管理情報を分散処理でき、高速処理が可能になる。この他、順序だけを案内できる照会装置として各診察席への途中の通路や検査終了後の出口などにそれぞれ設置することにより、受診者により次検査や進捗、あるいは検査終了の是非を確認することが可能である。
【００４３】
また、受付装置１、検査情報入力装置２を専用機とすることで、不要な操作ボタンを排除し、機器間の配線も装置内に収納することができるため、担当医師や受診者の誤操作や、断線の恐れを低減し、見栄えの向上や効率的なレイアウトを実現することが可能となる。
【００４４】
受付装置１は、図２に示すように、受付を行うための各種処理を実行するＣＰＵ１００、受付を行うための各種処理を実行するために使用される揮発性のメモリ１０１（例えばＲＡＭ）、受付を行うための各種処理を実行するためのプログラムやデータを記録するための記録装置１０２（例えばハードディスクドライブやＣＤドライブ）、外部からのデータ入力手段である入力装置１０３（例えばキーボードやマウス）、実行結果を表示するための出力装置１０４（例えばモニタ）、ネットワークと接続するためのネットワーク接続装置１０５を有し、バス１０６に接続されて交互にデータの受け渡しを行う一般的なパーソナルコンピュータに更に、受診者から生体情報を取得するための生体情報読取りセンサ１０７を接続し、更に、操作者の操作を簡易にするために、出力装置１０４の表面に入力装置１０３としてタッチパネルを設置し構成される。
【００４５】
また、受付装置１は、図３に示すように、より一層操作者の操作を簡易にするために、出力装置１０４、出力装置１０４の表面に入力装置１０３として設置したタッチパネル、更に生体情報読取りセンサ１０７など、操作に直接必要な構成のみを表に出し、操作には直接必要のない構成を筐体内に内蔵した使い勝手の良い専用機として設置する。
【００４６】
尚、本装置で使用される生体情報読取りセンサ１０７は、医療機関で利用され、二次感染に対する受診者の安全性向上の必要性などを考慮すると、接触型よりも、非接触型であることが望ましい。
【００４７】
次に、検査情報入力装置２は、受付装置１と同様に、ＣＰＵ２００、メモリ２０１、記録装置２０２、入力装置２０３、出力装置２０４、ネットワーク接続装置２０５を有し、バス２０６に接続されて交互にデータの受け渡しを行う一般的なパーソナルコンピュータに更に、受診者から生体情報を取得するための生体情報読取りセンサ２０７を接続し、更に、操作者の操作を簡易にするために、出力装置２０４の表面に入力装置２０３としてタッチパネルを設置して構成される。
【００４８】
また、本装置で使用される生体情報読取りセンサ２０７は、医療機関で利用され、二次感染に対する受診者の安全性向上の必要性などを考慮すると、接触型よりも、非接触型であることが望ましい。
【００４９】
更に、管理サーバ３は、受付装置１および検査情報入力装置２との各種処理を実行するＣＰＵ３００、受付装置１および検査情報入力装置２との各種処理を実行するために使用される揮発性のメモリ３０１（例えばＲＡＭ）、受付装置１および検査情報入力装置２との各種処理を実行するためのプログラムやデータを記録するための記録装置３０２（例えばハードディスクドライブやＣＤドライブ）、外部からのデータ入力手段である入力装置３０３（例えばキーボードやマウス）、実行結果を表示するための出力装置３０４（例えばモニタ）、ネットワークと接続するためのネットワーク接続装置３０５を有し、バス３０６に接続されて交互にデータの受け渡しを行う。記録装置３０２には、順序情報、生体情報、結果情報を記憶するためのファイル装置を備えている。尚、出力装置３０４の表面には、メンテナンスなどでの操作を簡易にするために、受付装置１や検査情報入力装置２と同様、入力装置３０３としてタッチパネルを設置して構成される。
【００５０】
次に、実施例１の処理について説明する。
【００５１】
人間ドックなどの健康診断を受ける際は、個人または会社が、検査を行う病院などの医療機関に予約を行うため、その際に確認された氏名に対するＩＤを発行し、図４のように受診者が希望する人間ドックなどの健康診断に必要な検査項目に対し、病院などの医療機関が決める検査順序と、進捗および検査予定日とＩＤを関連付けた予約情報を、管理サーバ内記録装置３０２に登録しておく。更に、受診者に氏名に対応したＩＤを通知しておく。
【００５２】
図５は受付時の処理を説明するためのフローチャートである。受診当日、受診者が、受付装置１でＩＤまたは氏名を入力する（ステップＳ１）。次に、受付装置１が受診者の情報を管理サーバ３に送出する（ステップＳ２）ことにより、管理サーバ３は、記録装置３０２に登録されている予約情報を検索する（ステップＳ３）。
【００５３】
受付装置１は管理サーバ３による検索結果を確認し（ステップＳ４）、予約が確認された場合は出力装置１０３により、氏名、ＩＤのほか、管理サーバ内記録装置３０２より取得した人間ドックなどの健康診断の検診項目を表示する（ステップＳ５）。受診者は予約情報が正しいことを確認しキーボードなどの確認ボタンを操作し決定する（ステップＳ６）。
【００５４】
予約情報確認がなされた後、生体情報読取センサ１０７により、受診者へ生体情報の取得を案内表示し（ステップＳ７）、案内により虹彩や静脈などの受診者が生体情報を入力するための操作により生体情報が入力される（ステップＳ８）。入力された生体情報はＩＤとともに管理サーバ３へ送出される（ステップＳ９）。
【００５５】
生体情報読取センサ１０７により取得された生体情報は、ＩＤとともに送出され、管理サーバ３において、ＩＤと関連づけられて図６のように管理サーバ内記録装置３０２へ登録される（ステップＳ１０）。
【００５６】
管理サーバ３は登録後、内記録装置３０２に登録されている検査情報を検索して受付装置１へ送出し、受付装置１では管理サーバ３より送出されてきた今回の検査順序を取得する（ステップＳ１１）。
【００５７】
取得した検査順序は出力装置１０４により、受診者に図７に示すように、受診者の氏名、ＩＤ、年齢及び、検査項目と順序、検査場所を「本日の検査順序です。検査が終わるごとに次の検査を表示します。混雑状況により順序がかわることがあります。基礎検査→血液検査→胸部レントゲン→問診→尿検査→胃レントゲン」というように、あるいは、「混雑状況により順序が変わることがあります。」等の注意書きとともに表示して通知する（ステップＳ１２）。
【００５８】
これにより、受診者は、自分の検査順序の内容であることを確実に確認でき、更に、検査する場所も把握することができるため、検査場所にスムーズに向かうことが可能となる。また、混雑により順番が変わることがあることを把握することできるため、受診者は検査中に受診順序が変更されてもスムーズに対応することが可能となる。
【００５９】
尚、受診当日、受診者が、受付装置１でＩＤまたは氏名を入力し（ステップＳ１）、管理サーバ内記録装置３０２に登録されている予約情報を確認した（ステップＳ４）結果、予約情報登録が確認できない、または異なっている場合は、出力装置１０４により入力したＩＤまたは氏名の再入力や、窓口への問い合わせなどによる再確認を案内表示する（ステップＳ１３）。
【００６０】
更に、予約が正しく確認された場合でも、受診者が、受付装置１の出力装置１０４により、氏名、ＩＤのほか、人間ドックなどの健康診断の検診項目の表示された（ステップＳ５）予約情報を確認した結果、予約情報が異なっているために、入力装置１０３であるキーボードなど確認ボタンによる操作で否決した（ステップＳ６）場合には、受付装置１は、生体情報読取センサ１０７による生体情報の再読込みや、窓口への問い合わせなどによる再確認を案内表示する（ステップＳ１３）。
【００６１】
尚、受付装置１でＩＤまたは氏名を入力し（ステップＳ１）、管理サーバ３内記録装置３０２に登録されている予約情報を確認している（ステップＳ３）が、プライバシー保護などのため、ＩＤまたは氏名以外にも、あらかじめ登録されたキーワードや愛称などの情報により予約情報を確認するようにしてもよい。
【００６２】
また、出力装置１０４による通知は表示によるものであるが、セキュリティ向上や視力の弱い受診者対応のため、ハンドセットを用いた音声などによる通知を行ってもよい。
【００６３】
次に、図８は受診時の処理を説明するフローチャートである。
【００６４】
検査が行われる診察席に設置された検査情報入力装置２は、生体情報読取センサ２０７により受診者の生体情報を読み込む（ステップＳ２１）。検査情報入力装置２は、読み込んだ生体情報を管理サーバ３へ送出する（ステップＳ２２）。
【００６５】
検査情報入力装置２より管理サーバ３に送出された生体情報により、管理サーバ３は記録装置３０２に登録されている生体情報を検索した結果を検査情報入力装置２に送出する（ステップＳ２３）。検査情報入力装置２は管理サーバ３より送出された結果より該当する生体情報があるか確認し（ステップＳ２４）、一致した場合は記録装置３０２に格納されたＩＤと検査順序情報を検索し（ステップＳ２５）、ＩＤと検査順序情報を取得する（ステップＳ２６）。
【００６６】
検査情報入力装置２は、取得した検査順序情報より、この診察席に該当する検査か否かを確認し（ステップＳ２７）、該当する場合は出力装置２０４により、図９のように、受診者の氏名、ＩＤ、年齢及び、現在と次の検査項目を、「これから受診する検査は、問診です。お呼びするまでお待ちください。」「次は、尿検査です。場所は、２階の右の廊下を直進してください。」というように表示し受診者に知らせる（ステップＳ２８）。
【００６７】
これにより、受診者は、自分の検査順序の内容であることを確実に確認でき、更に、次に検査する項目と場所も把握することができるため、検査場所にスムーズに向かうことが可能となる。
【００６８】
更に、診察席において受診者を検査して得られた検査結果は、検査情報入力装置２の入力装置２０３より管理サーバ３に送出される（ステップＳ２９）。管理サーバ３は、記録装置３０２に該当するＩＤと対応付けて結果情報を登録（図１１）し、記録装置３０２において、該当するＩＤの進捗情報を更新（図４）する（ステップＳ３０）。
【００６９】
一方、管理サーバ３は管理サーバ３に送出されてきた生体情報により、管理サーバ３の記録装置３０２に登録されている生体情報と一致する生体情報を検索する。更にその結果を検査情報入力装置２に送出し（ステップＳ２３）、検査情報入力装置２が管理サーバ３より送出された結果より該当する生体情報があるか確認する（ステップＳ２４）。
【００７０】
確認の結果、一致するものがなかった場合は、出力装置２０４により、図１５のように「お客様を確認できません。受付装置で再登録をお願い致します。」というような表示を行い、生体情報の登録を指示する（ステップＳ３１）。
【００７１】
これにより、受診者は、自分が受診できない状況であることを確実に確認でき、更に、再登録が必要であることも把握することができるため、受診するための対処をスムーズに行うことが可能となる。
【００７２】
また、情報入力装置２においては、管理サーバ３に登録された生体情報との確認の結果、確認され（ステップＳ２４）、管理サーバ３が記録装置３０２に格納されたＩＤより、該当する検査順序情報を検索し（ステップＳ２５）、管理サーバ３より検査順序情報を取得する（ステップＳ２６）。検査順序情報より、この診察席に該当する検査か否かを確認した結果（ステップＳ２７）、該当しない場合は、すべての受診項目の受診が完了しているか区別するため、生体情報が確認された際に取得した（ステップＳ２６）検査順序情報より進捗状況を確認する（ステップＳ３２）。
【００７３】
進捗状況を確認した結果、すべての受診項目が完了していない場合は、すべての受診項目が完了しておらず、かつ、次に受ける検査でない場合であると判断し、出力装置２０４により、図１０のように、現在の検査項目窓口名と、管理サーバ３より取得した正しい検査項目及び正しい検査項目窓口位置を「ここは、尿検査場です。次は、問診です。場所は、２階の左の廊下を直進してください。」というように、受診者の氏名、ＩＤ、年齢とともに表示する（ステップＳ３３）。
【００７４】
これにより、受診者は、自分の検査順序でないことを確実に確認でき、更に、検査する正しい項目と場所も把握することができるため、正しい検査場所にスムーズに向かうことが可能となる。
【００７５】
ただし、このような場合でも、受診者からの希望があり、検査担当窓口が了承してもよいと判断した場合には、検査担当窓口でキーボードやタッチパネルなどの入力装置２０３による入力を行い、受診を許可し、検査順序を変更することも可能である。
【００７６】
一方、進捗状況を確認した結果、完了している場合は、検査情報入力装置２は出力装置２０４により、図１６のように、受診者の氏名、ＩＤ、年齢及び、すべての検査が終了した旨を「すべての検査は終了しました。結果は後日お知らせします。本日はお疲れさまでした。」というように表示し（ステップＳ３４）する。
【００７７】
尚、進捗状況を確認した際に、最後の検査である場合は、この検査で得られた結果が検査情報入力装置２の入力装置２０３より管理サーバ３に送出される（ステップＳ２９）。管理サーバ３は、該当するＩＤと対応付けて記録装置３０２に結果情報を登録（図１１）し、該当するＩＤの進捗情報を完了に更新（図４）する（ステップＳ３０）。
【００７８】
これにより、受診者は、自分の検査が終了したことを把握することができるため、スムーズかつ確実に人間ドックなどの健康診断を終了することが可能となる。
【００７９】
また、出力装置２０４による通知は表示によるものであるが、セキュリティ向上や視力の弱い受診者対応のため、ハンドセットを用いた音声などによる通知を行ってもよい。
【００８０】
また、検査情報入力装置２は、各診察席への途中の通路や検査終了後の出口などに設置することにより、次の検査を受けるまでの間に、次の検査項目を忘れたり、進捗状況を確認したい場合に、次の検査や進捗状況などの情報を知るための、あるいはすべての検査が終了したことを確認したい場合に終了の是非を確認するための照会装置としての利用も可能である。
【００８１】
更に、
図２、３では簡略化のため受付装置１、検査情報入力装置２、管理サーバ３がすべて１台のみとなっているが、各機器とも１台とは限らず、診察席の数、検査の種類、施設の規模など必要に応じた数量が設置されるものである。
【００８２】
すなわち、以上のステップを各診察席で繰り返すことにより、本装置は受診者が人間ドックなどの健康診断の際に、生体情報に基づいて検査項目や検査順序を確認することができるため、受診票や伝票を持ち歩くことなく、手ぶらで所定の検査項目、検査順序および進捗の確認を容易かつ確実に行うことを実現できるものである。
［実施例２］
上記実施例１では、登録された順序を生体情報に基づき確認することができた。
【００８３】
実施例２では、更に、混雑の状態は確認できるとともに、待ち時間を短くでき、更なる受診者へのサービスを向上させるものである。
【００８４】
実施例２は、上記実施例１と同様の図２、３の構成図及び図５、図８の処理フローに対し、図１２の処理フローを付加してなるものである。
【００８５】
したがって、この実施例も、ソフトウエアにより実現するものである。
【００８６】
まず、実施例２の構成について説明する。
【００８７】
実施例２の装置においては、上記実施例１と同様、図２、３の構成図により示され、受付装置１、検査情報入力装置２、管理サーバ３により構成される。受付装置１、検査情報入力装置２、管理サーバ３は、ネットワーク（ＬＡＮ）４により接続されている。
【００８８】
次に、実施例２の処理について説明する。
図１２は検査順序入れ換え時の処理を説明するためのフローチャートである。管理サーバ３は、記録装置３０２に記録されている、その日の受診人数、各検査件数および進捗を監視しており、検査情報入力装置２内入力装置２０３から管理サーバ３内記録装置３０２に登録された各受診者の検査項目に対しての受診順序が記載されている検査順序番号が進捗データとして登録される（図４）。
【００８９】
管理サーバ３内記録装置３０２に記録された進捗情報は、サーバ内で図１３に示すように待ち人数として管理され、各検査の待ち人数を減算していくよう更新していく。
【００９０】
待ち人数の監視により混雑している検査が認められた場合（ステップＳ３５）、受診者は既に次検査情報を見て次検査の診察席に向かっているので次の検査には間に合わない。そのため、その次に予定している検査が混雑している受診者を対象に記録装置３０２内の検査順序情報のＩＤから確認し（ステップＳ３６）、混雑している検査を最終受診項目に変更する（ステップＳ３７）。
【００９１】
変更結果は、受診者が次検査を受診する際に生体情報読取センサ２０７で生体情報を入力した際に出力装置２０４によって、例えば、図7で「基礎検査→血液検査→胸部レントゲン→問診→尿検査→胃レントゲン」の順番であったものを、図１４のように、受診者の氏名、ＩＤ、年齢及び、次々検査順序が変更されたことを「基礎検査→血液検査→胸部レントゲンは終了しました。残りは尿検査→胃レントゲン→問診です。」「次は、尿検査です。場所は、２階の右の廊下を直進してください。」、あるいは「問診は、混雑しているので最後に受診してください。」等の注意書きとともに表示することにより、受診者に知らせる。
【００９２】
これにより、受診者が特定の検査に集中することのない効率的な人数配置を行えるため、混雑の分散化が可能となる。
【００９３】
尚、進捗情報の待ち人数の管理は、検査により受診に要する時間が異なることから、待ち時間＝各検査に要する平均時間（例えば経験的に得られる平均検査時間）×待ち人数とし、待ち時間の最も短い検査へ順序変更するようにし、更に、検査に優先順位を持たせ、同程度の待ち時間の場合でも順序の振り分けができるようにすることで、より効率的な人数配置を行い混雑の分散化を図ってもよい。
【００９４】
また、順序変更が発生した場合は検査情報入力装置２に通知され、検査のオペレータなどから受診者に次々検査ではなく変更後の次検査を知らせるようにしてもよい。
【００９５】
また、出力装置２０４による通知は表示によるものであるが、セキュリティ向上や視力の弱い受診者対応のため、ハンドセットを用いた音声などによる通知を行ってもよい。
【００９６】
また、照会装置として各診察席への途中の通路や検査終了後の出口などに設置された検査情報入力装置２により、受診者が情報照会した際に、次々検査ではなく変更後の次検査を知らせるようにしてもよい。
【００９７】
更に、進捗管理が追従できないような急激な混雑の変化を検査担当窓口が確認した場合には、状況に応じて検査情報入力装置２においてキーボードやタッチパネルなどの入力装置２０３により検査担当窓口での検査のオペレータなどから入力を行い、受診を許可し、検査順序を変更するようにしてもよい。
【００９８】
すなわち、本実施例により、実施例１の機能に加え、受診者が人間ドックや健康診断の際に、検査の混雑状況に応じて検査順序を変更することができるため、検診の混雑の分散化を実現できるものである。
【００９９】
すなわち、以上により、本装置は受診者が人間ドックなどの健康診断の際に、生体情報に基づいて次の検査項目や検査の進捗を確認することができるため、受診票や伝票を持ち歩くことなく、手ぶらで所定の検査項目、検査順序および進捗の確認を容易かつ確実に行い、また、検査の進捗を管理することにより特定の検査項目に受診者が集中するのを避けて検査順序を変更することができるため、混雑の分散化を実現できるものである。
（付記１） （請求項１）
複数の検査項目を各個人に定めた順で検査を行うための管理を行う健康診断管理装置であって、少なくとも受診者に対応付けて検査順序と受診者を特定する生体情報が関連付けて登録される情報登録手段と、
受診者から生体情報を取得する生体情報取得手段と、
該生体情報取得手段により取得した生体情報と、該情報登録手段に登録されている生体情報とを比較する生体情報比較手段と、該生体情報比較手段により生体情報が一致する場合は、該情報登録手段に登録されている検査順序情報により、次の検査項目を受診者に通知する検査項目出力手段と、各受診者の進捗状況を管理する管理手段とを設けた
ことを特徴とする健康診断管理装置。
（付記２）（請求項２）
【０１００】
該生体情報比較手段により検査の該当が認識されると、検査の結果情報が入力される結果情報入力手段と、該結果情報入力手段により入力された検査の結果情報を登録する結果情報登録手段と
を有することを特徴とする付記１に記載の健康診断管理装置。
（付記３）（請求項３）
該情報登録手段に登録された予約情報と該結果情報登録手段に格納された結果情報より、検査の待ち人数を登録する検査混雑状況登録手段と、該検査混雑状況登録手段に登録された検査の待ち人数より、該情報登録手段の検査順序を変更する検査順序情報変更手段とを有することを特徴とする付記２に記載の健康診断管理装置。
（付記４）（請求項４）
複数の検査項目を各個人に定めた順で検査を行うための管理を行う健康診断管理方法であって、少なくとも受診者に対応付けて検査順序と受診者を特定する生体情報が関連付けて登録される情報登録手段と、
受診者から生体情報を取得する生体情報取得手段と、該生体情報取得手段により取得した生体情報と、該情報登録手段に登録されている生体情報とを比較する生体情報比較手段と、該生体情報比較手段により生体情報が一致する場合は、該情報登録手段に登録されている検査順序情報により、次の検査項目を受診者に通知する検査項目出力手段と、各受診者の進捗状況を管理する管理手段とを設けた
ことを特徴とする健康診断管理方法。
（付記５）（請求項５）
複数の検査項目を各個人に定めた順で検査を行うための管理を行う健康診断管理プログラムであって、少なくとも受診者に対応付けて検査順序と受診者を特定する生体情報が関連付けて登録される情報登録手段と、
受診者から生体情報を取得する生体情報取得手段と、
該生体情報取得手段により取得した生体情報と、該情報登録手段に登録されている生体情報とを比較する生体情報比較手段と、該生体情報比較手段により生体情報が一致する場合は、該情報登録手段に登録されている検査順序情報により、次の検査項目を受診者に通知する検査項目出力手段と、各受診者の進捗状況を管理する管理手段とをを機能させるための健康診断管理プログラム。
（付記６）
該検査項目出力手段は、該生体情報比較手段により生体情報が一致する場合は、該情報登録手段に登録されている検査順序に基づき、検査の進捗または終了情報を通知することを特徴とする付記２に記載の健康診断管理装置。
（付記７）
該生体情報比較手段により検査の該当が認識されると、検査の結果情報が入力される結果情報入力手段と、該結果情報入力手段により入力された検査の結果情報を登録する結果情報登録手段と
を有することを特徴とする付記４に記載の健康診断管理方法。
（付記８）
該情報登録手段に登録された予約情報と該結果情報登録手段に格納された結果情報より、検査の待ち人数を登録する検査混雑状況登録手段と、該検査混雑状況登録手段に登録された検査の待ち人数より、該情報登録手段の検査順序を変更する検査順序情報変更手段とを有することを特徴とする付記７に記載の健康診断管理方法。
（付記９）
該検査項目出力手段は、該生体情報比較手段により生体情報が一致する場合は、該情報登録手段に登録されている検査順序に基づき、検査の進捗または終了情報を通知することを特徴とする付記７に記載の健康診断管理方法。
（付記１０）
該生体情報比較手段により検査の該当が認識されると、検査の結果情報が入力される結果情報入力手段と、該結果情報入力手段により入力された検査の結果情報を登録する結果情報登録手段と
を機能させるための付記５に記載の健康診断管理プログラム。
（付記１１）
該情報登録手段に登録された予約情報と該結果情報登録手段に格納された結果情報より、検査の待ち人数を登録する検査混雑状況登録手段と、該検査混雑状況登録手段に登録された検査の待ち人数より、該情報登録手段の検査順序を変更する検査順序情報変更手段とを機能させるための付記１０に記載の健康診断管理プログラム。
（付記１２）
該検査項目出力手段は、該生体情報比較手段により生体情報が一致する場合は、該情報登録手段に登録されている検査順序に基づき、検査の進捗または終了情報を通知するための付記１０に記載の健康診断管理プログラム。
【産業上の利用可能性】
【０１０１】
本発明によれば、人間ドックや健康診断の際に、生体情報に基づいて検査項目や検査順序を確認することができ、更に混雑状況に対しても待ち人数の分散化を行うことができる。このため、受診者は、受診票や伝票を持ち歩くことなく、手ぶらで所定の検査項目、検査順序および進捗の確認を容易かつ確実に行うことができ、更に混雑状況に対しても待ち人数の分散化がなされた状態で検査を受けることがきるので、かかる健康診断管理装置の普及に寄与する。
【図面の簡単な説明】
【０１０２】
【図１】本発明の基本機能を示す原理図
【図２】一般的なＰＣ（パーソナル・コンピュータ）により構成されるシステム
【図３】専用機を利用したシステム
【図４】本発明の検査順序情報を示す構成図
【図５】本発明の受付時の処理を示すフローチャート
【図６】本発明の生体情報を示す構成図
【図７】本発明の検査順序の出力を示す画面図
【図８】本発明の受診時の処理を示すフローチャート
【図９】本発明の実施例１による、検査が正しい場合の検査項目出力を示す画面図
【図１０】本発明の実施例１による、検査が誤っている場合の検査項目出力を示す画面図
【図１１】本発明の結果情報を示す構成図
【図１２】本発明の実施例２による、検査順序変更を示すフローチャート
【図１３】本発明の実施例２による、待ち人数を示す構成図
【図１４】本発明の実施例２による、検査順序の変更があった場合の検査項目出力を示す面図
【図１５】本発明の該当する生体情報がない場合の、検査項目出力を示す画面図
【図１６】本発明の実施例１による、検査がすべて終了した場合の、検査項目出力を示す画面図
【符号の説明】
【０１０３】
１  受付装置
２  検査情報入力装置
３  管理サーバ
４  ネットワーク（ＬＡＮ）
１１  予約情報確認手段
１２  第１の生体情報取得手段
１３  検査順序情報出力手段
２１  第２の生体情報取得手段
２２  第１の検査項目出力手段
２３  結果情報入力手段
３１  検査順序情報登録手段
３２  生体情報登録手段
３３  生体情報比較手段
３４  結果情報登録手段
３５  検査混雑状況登録手段
３６  検査順序情報変更手段
３７  管理手段
１００，２００，３００  ＣＰＵ
１０１，２０１，３０１  メモリ
１０２，２０２，３０２  記録装置
１０３，２０３，３０３  入力装置
１０４，２０４，３０４  出力装置
１０５，２０５，３０５  ネットワーク接続装置
１０６，２０６，３０６  バス
１０７，２０７  生体情報読取りセンサ
【図１】
2006235929.tif 000003
【図２】
2006235929.tif 000004
【図３】
2006235929.tif 000005
【図４】
2006235929.tif 000006
【図５】
2006235929.tif 000007
【図６】
2006235929.tif 000008
【図７】
2006235929.tif 000009
【図８】
2006235929.tif 000010
【図９】
2006235929.tif 000011
【図１０】
2006235929.tif 000012
【図１１】
2006235929.tif 000013
【図１２】
2006235929.tif 000014
【図１３】
2006235929.tif 000015
【図１４】
2006235929.tif 000016
【図１５】
2006235929.tif 000017
【図１６】
2006235929.tif 000018